(57)【要約】【課題】 受圧体及び爆薬体受座に対する紐部材の取付け手段に工夫を凝らすことにより受圧体と爆薬体受座とを爆風圧漏れを起こすことなく、しかも容易に紐部材で連結することのできるクラッカーを提供する。【解決手段】 前端に放出口２を有する筒状体１の内部に、後方から前方に向かって順に爆薬体受座４、引紐５の引張り操作で爆発する爆薬体３、この爆薬体の爆発エネルギーを受けて放出口２の方向へ発射される受圧体８、この受圧体８の衝突を受けて放出口２の方向へ飛ばされる被放出物９を備えているクラッカーにおいて、受圧体８の後ろ側に紐部材１１の一端部１１ａが留め付けられる紐取付部片１２が、爆薬体受座４の前側に紐部材１１の他端部１１ｂが留め付けられる紐取付部片１３がそれぞれ設けられている。【選択図】  図１
2004233049.tif 000002
【特許請求の範囲】
【請求項１】
前端に放出口を有する筒状体の内部に、後方から前方に向かって順に爆薬体受座、引紐の引張り操作で爆発する爆薬体、この爆薬体の爆発エネルギーを受けて前記放出口の方向へ発射する受圧体、この受圧体の衝突を受けて前記放出口の方向へ飛ばされる被放出物を収納配備しており、前記受圧体と爆薬体受座とを紐部材で連結しているクラッカーにおいて、
前記受圧体（８）の後ろ側に前記紐部材（１１）の一端部が留め付けられる紐取付部片（１２）が後方へ突出して設けられており、前記爆薬体受座（４）の前側に前記紐部材（１１）の他端部が留め付けられる紐取付部片（１３）が前方へ突出して設けられていることを特徴とする、クラッカー。
【発明の詳細な説明】
【技術分野】
【０００１】
本発明は、引紐の引張り操作によって爆薬体が爆発し、この爆発によって紙吹雪や小巻テープ等の被放出物が空中に放出されるクラッカーの改良に関する。
【背景技術】
【０００２】
この種のクラッカーとして、例えば、特許文献１に開示されているようなものがある。これは、図６に示すように、前端に放出口２２を有する筒状体２１の内部に、後方から前方に向かって順に爆薬体受座２４、引紐２５の引張り操作で爆発する爆薬体２３、この爆薬体２３の爆発エネルギーを受けて放出口２２の方向へ発射する受圧体２８、この受圧体２８の衝突を受けて放出口２２の方向へ飛ばされる紙吹雪や小巻テープ等被放出物２９を収納配備しており、前記受圧体２８と爆薬体受座２４とを紐部材３１で連結している。その連結に際しては、受圧体２８及び爆薬体受座２４にそれぞれ紐通し孔３２，３３を前後方向に貫通状に形成して、紐部材３１の一端部３１ａ及び他端部３１ｂをそれぞれの紐通し孔３２，３３に通して留め付けている。
【０００３】
上記紐部材３１は受圧体２８が発射前のスタート位置にあるときには図６のように弛んで所定の伸び代を持っており、図７に示すように、受圧体２８が発射時に放出口２２まで移動したときには紐部材３１が弛みをなくして伸びきることによって受圧体２８が放出口２２から飛び出ることなく放出口２２内で停止するようにしている。これによれば、受圧体２８が飛び出すことによる危険性がなくなり、また爆薬体２３の爆発に伴って発生する煙や臭いが筒状体２１内の受圧体２８と爆薬体受座２４との間の空間に閉じ込められるし、また爆発に伴う音も筒状体２１の中にこもって消音される。したがって、劇場やホール、家庭などの大きな音を発することが嫌われるような場所や、爆薬体の爆発によって発生する煙や臭いが嫌われるような場所でも、紙吹雪や小巻テープを遠方まで飛ばしてクラッカーを楽しむことができる。
【０００４】
【特許文献１】特開平１１−２３０７００号公報
【発明の開示】
【発明が解決しようとする課題】
【０００５】
しかるに、受圧体２８及び爆薬体受座２４に紐通し孔３２，３３を前後方向に貫通状に形成した上記クラッカーでは、それぞれの紐通し孔３２，３３に対して紐部材３１が通しにくいばかりか、爆薬体２３の爆発に伴う爆風圧が受圧体２８及び爆薬体受座２４の紐通し孔３２，３３から漏れることがあり、これにより受圧体２８の受圧効率の低下を来たすため、受圧体２８の速度が落ち、この減速分だけ被放出物２９に加える衝突力を減衰するため、被放出物２９の飛距離を十分に出すことができなくなる。
【０００６】
そこで、本発明の目的は、このような問題を解決するためになされたものであり、受圧体及び爆薬体受座に対する紐部材の取付け手段に工夫を凝らすことにより受圧体と爆薬体受座とを爆風圧漏れを起こすことなく、しかも容易に紐部材で連結することができ、もって受圧体と爆薬体受座の紐部材による連結の容易化を図れ、また受圧体の受圧効率を向上できて被放出物の飛距離を伸ばすことのできるクラッカーを提供することにある。
【課題を解決するための手段】
【０００７】
本発明は、前端に放出口を有する筒状体の内部に、後方から前方に向かって順に爆薬体受座、引紐の引張り操作で爆発する爆薬体、この爆薬体の爆発エネルギーを受けて前記放出口の方向へ発射する受圧体、この受圧体の衝突を受けて前記放出口の方向へ飛ばされる被放出物を収納配備しており、前記受圧体と爆薬体受座とを紐部材で連結しているクラッカーにおいて、
前記受圧体の後ろ側に前記紐部材の一端部が留め付けられる紐取付部片が後方へ突出して設けられており、前記爆薬体受座の前側に前記紐部材の他端部が留め付けられる紐取付部片が前方へ突出して設けられていることに特徴を有するものである。
【発明の効果】
【０００８】
上記構成のクラッカーによれば、受圧体の後ろ側に前記紐部材の一端部が留め付けられる紐取付部片が後方へ突出して設けられており、前記爆薬体受座の前側に前記紐部材の他端部が留め付けられる紐取付部片が前方へ突出して設けられているので、受圧体と爆薬体受座とを紐部材で容易に連結することができる。また、図６に示すごとき爆風圧漏れの原因となるような紐通し孔を受圧体及び爆薬体受座に前後方向に貫通状に設けなくとも、受圧体と爆薬体受座とを紐部材で連結することが可能になった。したがって、受圧体及び爆薬体受座から爆薬体の爆風圧を漏らすようなことがなくなり、受圧体の受圧効率が高められることになる。
【０００９】
引紐を引っ張って爆薬体を爆発させると、受圧体が爆薬体の爆発エネルギーを受けて放出口の方向へ発射して被放出物に衝突し、この衝突作用により被放出物が放出口から空中に飛ばされる。その際、受圧体は放出口まで移動するか、放出口から飛び出すが、その移動もしくは飛び出し距離は紐部材で規制されるので、受圧体が飛び出すことによる危険性がなくなり安全である。
【００１０】
以上説明したように、本発明によれば、受圧体と爆薬体受座とを爆風圧漏れを起こすことのないように好適にかつ容易に紐部材で連結することができるという効果を奏するものである。
【発明を実施するための最良の形態】
【００１１】
本発明の好適な実施形態を図面に基づき説明する。図１は本発明の一実施例のクラッカーを発射前の状態で示す断面図、図２は発射後のクラッカーの断面図、図３は受圧体と爆薬体受座とを紐部材で連結した状態を示す斜視図、図４は組付け直前の受圧体及び爆薬体受座の断面図である。
【００１２】
本発明に係るクラッカーは、図１に示すように、プラスチック、厚紙などで円筒形もしくは多角形筒形の筒状体１を形成し、前端に放出口２を形成する。筒状体１の内部後方には、１個もしくは２個以上の引玉と称される爆薬体３を受止め支持できるようにプラスチック、厚紙等で碗形状、漏斗形状等に形成された爆薬体受座４を収容配備する。爆薬体受座４の底部には爆薬体３に通された引紐５を通す引紐通し孔６を形成している。
【００１３】
筒状体１内の爆薬体３の前方には受圧体８を収容配備する。受圧体８は、プラスチック、厚紙等で平板状のヘッド部８ａ及びヘッド部８ａの全周から後方へ連設したスカート部８ｂを有する後方開放状の円筒形もしくは多角形の有底筒形状に形成されている。
【００１４】
筒状体１内における受圧体８と放出口２との間には、紙吹雪や小巻テープ等の被放出物９が収容される。筒状体１の放出口２は、筒状体１の前端に蓋片１０を一体に折曲自在に連設し、これを放出口２の内方に折り込むことにより該放出口２が塞がれるようにしている。
【００１５】
受圧体８と爆薬体受座４は、筒状体１の内部に収容される前に、図３に示すように予め紐部材１１で連結される。そのために受圧体８及び爆薬体受座４にはそれぞれ紐取付部片１２，１３が設けられる。受圧体８の紐取付部片１２は受圧体８の後ろ側に設けられ、爆薬体受座４の紐取付部片１３は爆薬体受座４の前側に設けられている。そして、受圧体８の後ろ側に対して紐部材１１の一端部１１ａを留め付け易くするために、図示例のように受圧体８の紐取付部片１２は受圧体８のヘッド部８ａの内面中央部からスカート部８ｂの最後端部より後方へ突出するように突設され、該紐取付部片１２のスカート部８ｂから後方へ突出する突出端部には紐通し孔１４を設けている。一方、爆薬体受座４の前側に対して紐部材１１の他端部１１ｂを留め付け易くするために、図示例のように爆薬体受座４の紐取付部片１３は爆薬体受座４の内面から最前端部より前方へ突出するように突設され、該紐取付部片１３の、爆薬体受座４の最前端部より前方へ突出する突出端部には紐通し孔１５を設けている。
【００１６】
このように形成された受圧体８と爆薬体受座４とは、それぞれの紐取付部片１２，１３の紐通し孔１４，１５に紐部材１１の一端部１１ａ及び他端部１１ｂを通して結び付けることにより容易に連結することができる。
【００１７】
かくして、紐部材１１で連結された受圧体８と爆薬体受座４とは、図４に示すように両者を互いに突き合せるとともにその間に紐部材１１を丸め込んだセット状態で筒状体１の放出口２又は後端から挿入することにより筒状体１の内部に容易に組み込まれる。このように受圧体８と爆薬体受座４とを同時に筒状体１に組み込むことにより受圧体８と爆薬体受座４を個別に筒状体１に組み込む作業に比べて能率よく組み込むことができて組付け性に優れる。
【００１８】
爆薬体受座４は、発射時に紐部材１１で引っ張られて前方へ移動することのないようにその前端部の外径を筒状体１の内径よりも少し大きく設定して爆薬体受座４の前端部の外周が筒状体１の内面に圧接係合する状態に収容される。また爆薬体受座４は、筒状体１の内部後端に嵌め込み固定される受座固定筒７により筒状体１の後方へ抜け出ることのないように保持される。
【００１９】
受圧体８はこれの後端部の外周部を筒状体１の内径よりも少し大きい径に形成して筒状体１の内面に圧接係合するように収容するか、または筒状体１の内径と同径もしくは少し小径に形成して非圧接状態に収容する。
【００２０】
受圧体８及び爆薬体受座４の組み込み後は、被放出物９が筒状体１の放出口２から受圧体８の前側に収容される。被放出物９の収容後、蓋片１０により放出口２が塞がれる。
上記構成のクラッカーにおいて、引紐通穴６から導出する引紐５を後方へ引っ張って爆薬体３を爆発させると、受圧体８がこの爆薬体３の爆発エネルギーを受けて、放出口２の方向へ発射して被放出物９に衝突し、この衝突作用により被放出物９が蓋片１０を押し開いて放出口２から空中に飛ばされる。紐部材１１は受圧体８が発射前のスタート位置にあるときには図１のように弛んで所定の伸び代を持っており、図２に示すように、受圧体８が発射時に放出口２まで移動したときには紐部材１１が弛みをなくして伸びきることによって受圧体８が放出口２から飛び出ることなく放出口２内で停止するようにしている。
その際、紐部材１１の一端部１１ａは受圧体８の後ろ側の紐取付部片１２に、紐部材１１の他端部１１ｂは爆薬体受座４の前側の紐取付部片１３にそれぞれ留め付けられており、このように紐部材１１で連結された受圧体８と爆薬体受座４は紐部材留め付け部分から爆薬体３の爆風圧を漏らすようなことがなく、受圧体８は爆風圧を効率よく受けて勢いよく飛ばされる。
【００２１】
紐部材１１の長さは、図２に示すように、受圧体８が発射時に放出口２まで移動したときに紐部材１１が弛みをなくして伸びきることによって受圧体８が放出口２から飛び出ることなく放出口２内で停止するようにしておけば、受圧体８が飛び出すことによる危険性がなくなるばかりか、爆薬体３の爆発に伴って発生する煙や臭いが筒状体１内の受圧体８と爆薬体受座４との間の空間に閉じ込められるし、また爆発に伴う音も筒状体１の中にこもって消音される。したがって、劇場やホール、家庭などの大きな音を発することが嫌われるような場所や、爆薬体の爆発によって発生する煙や臭いが嫌われるような場所でもクラッカーを楽しむことができる。しかし、本発明はこれに限定されるものではなく、紐部材１１の長さは受圧体８が発射により放出口２から或る距離だけ空中に飛び出るような長さに設定するものであってもよい。
【００２２】
受圧体８の後ろ側に設ける紐取付部片１２は、図３中に二点鎖線で示すごとく受圧体８の最後端面から後方へ向けて突設するものであってもよく、また爆薬体受座４の前側に設ける紐取付部片１３は同図中に二点鎖線で示すごとく爆薬体受座４の最前端面から前方に向けて突設するものであってもよい。
【００２３】
受圧体８は、図示例にように平板状のヘッド部８ａ及びスカート部８ｂを有する後方開放状の円筒形もしくは多角形の有底筒形に形成することが爆風圧の受圧面積を広くとることができて有利であるが、これに限られず、受圧体８は図５に示すごとく発泡プラスチック等で中実状の円柱もしくは角柱状に形成するものであってもよく、この場合紐通し孔１４を有する紐取付部片１２は受圧体８の後端面から後方に向けて突設される。
【図面の簡単な説明】
【００２４】
【図１】本発明の一実施例のクラッカーを発射前の状態で示す断面図である。
【図２】発射後のクラッカーの断面図である。
【図３】受圧体と爆薬体受座とを紐部材で連結した状態を示す斜視図である。
【図４】組付け直前の受圧体及び爆薬体受座の断面図である。
【図５】他の実施例を示す受圧体の斜視図である。
【図６】従来例のクラッカーを発射前の状態で示す断面図である。
【図７】図６のクラッカーを発射後の状態で示す断面図である。
【符号の説明】
【００２５】
１ 筒状体
２ 放出口
３ 爆薬体
４ 爆薬体受座
５ 引紐
８ 受圧体
９ 被放出物
１１ 紐部材
１２，１３ 紐取付部片
１４，１５ 紐通し孔
【図１】
2004233049.tif 000003
【図２】
2004233049.tif 000004
【図３】
2004233049.tif 000005
【図４】
2004233049.tif 000006
【図５】
2004233049.tif 000007
【図６】
2004233049.tif 000008
【図７】
2004233049.tif 000009